(57)【要約】【課題】長期間の使用によっても、またこれを身に付けた状態で入浴等をした場合であっても機能が損なわれることのないアジャスターを備えたチェーン状装身具を提供すること。【解決手段】両端を自由端としたチェーン（２）と、チェーン（２）の一端が連結されるとともに、チェーン（２）の他端が移動自在に貫通したアジャスター（４）を具備し、アジャスター（４）は、チェーン（２）が貫通する一対の貫通孔（５０１）が形成されたケーシング（５）と、ケーシング（５）内に配設した、チェーン（２）を挟持可能な一対個の挟持手段（６）を備え、挟持手段（６）は、その双方を磁石により構成することにより、又は、一方を磁石により構成するとともに他方を磁性体により構成することにより、ケーシング（５）内においてチェーン（２）を挟圧してその移動に制約を加えることを可能にした。【選択図】図１
2006055617.tif 000002
【特許請求の範囲】
【請求項１】
両端を自由端としたチェーン（２）と、
該チェーン（２）の一端が連結されるとともに、前記チェーン（２）の他端が移動自在に貫通したアジャスター（４）とを具備し、
前記アジャスター（４）は、前記チェーン（２）が貫通する一対の貫通孔（５０１）が形成されたケーシング（５）と、該ケーシング（５）内に配設した、前記ケーシング（５）内においてチェーン（２）を挟持するための一対個の挟持手段（６ａ、６ｂ）とを備え、
前記挟持手段（６ａ、６ｂ）は、その双方を磁石により構成することにより、又は、一方（６ａ）を磁石により構成するとともに他方（６ｂ）を磁性体により構成することにより、ケーシング（５）内においてチェーン（２）を挟圧してその移動に制約を加えることを可能にしたことを特徴とするチェーン状装身具。
【請求項２】
両端を自由端としたチェーン（２）の一端が連結されるとともに、他端が移動自在に貫通するチェーン状装身具のアジャスターであって、
チェーン（２）が貫通する一対の貫通孔（５０１）が形成されたケーシング（５）と、該ケーシング（５）内に配設した、前記ケーシング（５）内においてチェーン（２）を挟持するための一対個の挟持手段（６ａ、６ｂ）とを具備し、
前記挟持手段（６ａ、６ｂ）は、その双方を磁石により構成することにより、又は、一方を磁石により構成するとともに他方を磁性体により構成することにより、ケーシング（５）内において前記チェーン（２）を挟圧してその移動に制約を加えることを可能にしたことを特徴とするチェーン状装身具に用いるアジャスター。
【発明の詳細な説明】
【技術分野】
【０００１】
本発明は、ネックレス、ブレスレット等のチェーン状装身具及びそれに用いるアジャスターに係り、より詳しくは、チェーンの長さを自在に調整可能としたチェーン状装身具及びそれに用いるアジャスターに関する。
【背景技術】
【０００２】
一般的に、ネックレス、ブレスレット等のチェーン状装身具では、これを構成するチェーンの径を調整することは不可能であるが、近年、使い勝手等の利便性を目的として、アジャスターを用いてチェーン径を自在に調整可能としたものが提供されてきている。
【０００３】
ここで、図８は、チェーン径を自在に調整可能としたチェーン状装身具３１を説明するための図であり、アジャスター近傍を示している。そして、図において３２はチェーンであり、このチェーン状装身具３１では、前記チェーン３２が移動自在に貫通した球状のアジャスター３４を備えており、このアジャスター３４に前記チェーン３２の一端が連結されている。
【０００４】
そして、前記アジャスター３４は、対向する位置にチェーン３２が貫通する貫通孔３８が形成されるとともに、その内部にはシリコンゴム等の弾性体３５が挿入されている。そして、弾性体３５にはチェーン３２の直径よりも僅かに小径の貫通孔３６を形成し、この貫通孔３６にチェーン３２を挿通するとともにチェーン３２の先端に抜け防止手段３７を連結し、これにより、シリコンゴム３５の弾性力を利用し、チェーン３２を任意の位置で係止可能としている。
【０００５】
そのため、このチェーン状装身具３１では、チェーン径を自在に調整することが可能であるとともに、シリコンゴムの弾性力により、チェーンの長さを所望する寸法で係止可能となる。
【特許文献１】登録実用新案第３０６３８９１号公報
【発明の開示】
【発明が解決しようとする課題】
【０００６】
しかしながら、シリコンゴムの弾性力を利用してチェーンを係止可能とした場合には、長期間の経過によって、シリコンゴムが磨耗するとともに弾性力も衰えてくるために、アジャスターとしての機能を十分に発揮できなくなるおそれが考えられる。
【０００７】
また、チェーン状装身具を身につけた状態で入浴等をした場合には、シリコンゴムの収縮等によりチェーンの径が変わってしまうおそれも十分に考えられる。
【０００８】
そしてこのことは、シリコンゴムに限らず、その他、合成樹脂等を用いてチェーンを係止する構造にした場合も同様である。
【０００９】
そこで、本発明は、長期間の使用によっても、また、これを身に付けた状態で入浴等をした場合であっても機能が損なわれることのないアジャスターを備えたチェーン状装身具、及びこれに用いるアジャスターを提供することを課題としている。
【課題を解決するための手段】
【００１０】
本発明のチェーン状装身具は、両端を自由端としたチェーンと、該チェーンの一端が連結されるとともに前記チェーンの他端が移動自在に貫通したアジャスターとを具備し、前記アジャスターは、前記チェーンが貫通する一対の貫通孔が形成されたケーシングと、該ケーシング内に配設した、前記ケーシング内においてチェーンを挟持するための一対個の挟持手段とを備え、前記挟持手段は、その双方を磁石により構成することにより、又は、一方を磁石により構成するとともに他方を磁性体により構成することにより、ケーシング内においてチェーンを挟圧してその移動に制約を加えることを可能にしたことを特徴としている。
【００１１】
また、本発明のチェーン状装身具に用いるアジャスターは、両端を自由端としたチェーンの一端が連結されるとともに、他端が移動自在に貫通するチェーン状装身具のアジャスターであって、チェーンが貫通する一対の貫通孔が形成されたケーシングと、該ケーシング内に配設した、前記ケーシング内においてチェーンを挟持するための一対個の挟持手段とを具備し、前記挟持手段は、その双方を磁石により構成することにより、又は、一方を磁石により構成するとともに他方を磁性体により構成することにより、ケーシング内においてチェーンを挟圧してその移動に制約を加えることを可能にしたことを特徴としている。
【発明の効果】
【００１２】
本発明においては、チェーンが貫通するケーシング内に一対個の挟持手段を配設するとともに、この挟持手段を、その双方を磁石により構成し、又は一方を磁石により構成するとともに他方を磁性体により構成している。そのために、一対の挟持手段はチェーンを挟んで互いに引き合うとともにチェーンを挟圧し、これによって、アジャスターに対してチェーンがその長手方向へ移動することに制約を与えている。従って、本発明では、アジャスターを持ちながらチェーンを引っ張るか、あるいはチェーンを持ちながらアジャスターをチェーンの長手方向に沿って引っ張ると、アジャスター内においてチェーンが一対の挟持手段のそれぞれと摺動し、これによりチェーン径を調整することが可能であるとともに、挟持手段の磁力によりチェーン径を維持することが可能である。
【００１３】
そして、このとき、本発明では、挟持手段の双方を磁石により構成し、または挟持手段の一方を磁石により構成するとともに他方を磁性体により構成しているために、長期間使用した場合であっても、また、これを身に付けた状態で入浴等をした場合であっても、アジャスターの機能が損なわれることがない。
【発明を実施するための最良の形態】
【００１４】
本発明のチェーン状装身具では、両端を自由端としたチェーンの一端がアジャスターに連結されており、チェーンの他端は、移動自在にアジャスターに貫通している。
【００１５】
そして、アジャスターは、前記チェーンが貫通する一対の貫通孔が形成されたケーシングを備えており、このケーシング内には、ケーシングを貫通したチェーンを挟持するための一対個の挟持手段が配設されている。
【００１６】
そして更に、一対の挟持手段は、その双方を磁石により構成し、又は、一方を磁石により構成するとともに他方を磁性体により構成し、これにより、ケーシング内においてチェーンを挟圧して、チェーンがその長手方向へ移動することに制約を加えている。
【実施例１】
【００１７】
本発明のチェーン装身具の実施例について図面を参照して説明すると、図１は本実施例のチェーン状装身具の正面図であり、本実施例のチェーン状装身具では、３個のダイヤモンドを備えたペンダントが吊着されたネックレスとしている。
【００１８】
即ち、図において１が本実施例のネックレスであり、このネックレス１は、両端が自由端とされたチェーン２を有しており、このチェーン２の任意の箇所には、３個のダイヤモンドを備えたペンダント３が吊着されている。
【００１９】
次に、本実施例のネックレス１では、アジャスターを備えており、即ち、図において４がアジャスターであり、本実施例において前記アジャスター４には、環体４０１を介して引輪４０２が連結されており、一方、チェーン２の一端部には、係止孔を備えたプレート２０１が備えられており、プレート２０１の係止孔に引輪４０２を係止することにより、チェーンの一端部がアジャスター４に連結されている。そして、前記チェーンの他端部は、前記アジャスター４を貫通し、これにより、アジャスター４を介して、前記チェーン２は無端にされている。
【００２０】
ここで、前記アジャスター４について説明すると、図２は前記アジャスター３の近傍を示す斜視図であり、また、図３はアジャスター４の内部構造を説明するための一部断面図であり、図において５はケーシングである。即ち、本実施例においてアジャスター３は、中空の円柱形状としたケーシング５を有しており、このケーシング５における互いに対向する２箇所には貫通孔５０１が形成されており、図２に示すように、この貫通孔５０１を介して、前記チェーン２がケーシング５を貫通している。
【００２１】
次に、前記ケーシング５内には、扁平な円柱形状とした一対個の挟持手段６ａ、６ｂが配設されている。そして、本実施例において前記挟持手段６ａ、６ｂはそれぞれ、永久磁石により構成するとともに、その配設に際しては、図４にも示されるように、前記チェーン２を挟持する配置とされている。そしてこれによって、前記ケーシング５内において、前記挟持手段６ａ、６ｂはそれぞれ、互いに引き合いながら前記チェーン２を挟圧しており、これにより、挟持手段６ａ、６ｂのそれぞれとチェーン２との摺動抵抗により、チェーン２がその長手方向へ移動することに制約を与え、チェーン２の径を維持することを可能としている。
【００２２】
従って、本実施例のチェーン状装身具１では、チェーン２の径を所望する寸法で維持することができるとともに、指等でアジャスター４を支持した状態でチェーン２の他端を引っ張ることにより、あるいはチェーン２を指等で支持した状態でアジャスター４をチェーン２の長手方向に向けてスライドすることにより、ネックレス１の径を自在に調整することが可能である。
【００２３】
そしてこのとき、本実施例のネックレス１では、磁力によってチェーン２を挟圧してチェーン２がその長手方向へ移動することに制約を与えているため、シリコンゴム等を用いてアジャスター内にチェーンを係止している従来のネックレスと異なり、長期間の使用によっても、また入浴等をした場合でも、アジャスターの機能が落ちることが無いという利点が考えられる。
【００２４】
なお、図２において７は、チェーン２の他端部先端に連結した飾り部であり、この飾り部７は、前記貫通孔５０１の外周よりも大きめの外形としており、これにより、チェーン２がアジャスター４より抜け出てしまうことを防止している。
【００２５】
このように、本実施例のチェーン状装身具１では、挟持手段６ａ、６ｂの磁力によってチェーン２を挟圧してチェーン２がその長手方向へ移動することに制約を与えているため、長期間の使用等によっても、アジャスターの機能が落ちることを有効に防止することができる。
【００２６】
なお、前述の構成では、ケーシング４を中空の円柱形状にするとともに内部に配設した挟持手段のそれぞれを扁平な円柱形状にしたが、ケーシングの形状及び挟持手段の形状は必ずしもこの形状には限定されず、例えば図５乃至図７に示すように、ケーシング２５を中空の球状にするとともに、このケーシング２５内に配設する挟持手段２６ａ、２６ｂのそれぞれを半球状にした形状のアジャスター２４としてもよい。なお、図５乃至図７に示すアジャスター２４では、ケーシング２５及び挟持手段２６ａ、２６ｂの形状に特徴があり、その他の部分は前述したアジャスター４と同様であるので重複した説明は省略する。
【００２７】
また、前述の実施例では一対個の挟持手段６ａ、６ｂの双方を磁石により構成した場合について説明したが、必ずしも挟持手段の双方を磁石により構成する必要はなく、一方を磁石により構成するとともに、他方をこの磁石に吸着可能な磁性体により構成してもよい。
【産業上の利用可能性】
【００２８】
本発明は、アジャスター内において磁力によりチェーンを係止し、これによりチェーン径を自在に調整可能としているために、ネックレスに限らず、ブレスレット等、チェーンを用いた装身具の全般に適用可能である。
【図面の簡単な説明】
【００２９】
【図１】本発明のチェーン状装身具の実施例の正面図である。
【図２】本発明のチェーン状装身具の実施例におけるアジャスターを説明するための斜視図である。
【図３】本発明のチェーン状装身具の実施例におけるアジャスターの構造を示す一部断面図である。
【図４】本発明のチェーン状装身具の実施例における挟持手段の配置を説明するための図である。
【図５】本発明のチェーン状装身具の他の構成例を説明するための斜視図である。
【図６】本発明のチェーン状装身具の他の構成例を説明するための一部断面図である。
【図７】本発明のチェーン状装身具の他の構成例における挟持手段の配置を説明するための図である。
【図８】従来のアジャスター機構を説明するための図である。
【符号の説明】
【００３０】
１    ネックレス
２    チェーン
２０１    プレート
３    ペンダント
４、２４    アジャスター
４０１、２４０１    環体
４０２、２４０２    引き輪
５、２５    ケーシング
５０１、２５０１    貫通孔
６ａ、６ｂ、２６ａ、２６ｂ    挟持手段
７、２７    飾り
【図１】
2006055617.tif 000003
【図２】
2006055617.tif 000004
【図３】
2006055617.tif 000005
【図４】
2006055617.tif 000006
【図５】
2006055617.tif 000007
【図６】
2006055617.tif 000008
【図７】
2006055617.tif 000009
【図８】
2006055617.tif 000010